(57)【要約】【課題】主に各種電子機器に使用される開閉装置に関し、良好な感触で多様な操作が可能なものを提供することを目的とする。【解決手段】可動カム２７外周と固定ケース２４内周に傾斜部２７Ａと２４Ａを設けると共に、可動カム２７が固定カム２の平坦部２Ｂに弾接した後は、可動カム２７と固定ケース２４の傾斜部２７Ａと２４Ａを弾接させることによって、開操作を行った際、傾斜部２７Ａと２４Ａの摩擦によって開方向の付勢力が緩和されるため、可動筐体２２への衝撃を防ぐことができると共に、可動カム２７が固定カム２の平坦部２Ｂに弾接した所定角度の間で、可動カム２７を保持する際にも、傾斜部２７Ａと２４Ａの摩擦によって可動筐体２２を所望の角度に確実に保持できるため、良好な感触で多様な操作が可能な開閉装置を得ることができる。【選択図】図１
2012189094.tif 000002
【特許請求の範囲】
【請求項１】
固定カムが形成された固定体と、この固定体を収納する略円筒状の固定ケースと、可動カムが形成された可動体と、この可動体を軸線方向へ移動可能に収納する可動ケースと、上記可動カムを上記固定カムの方向へ付勢するばねからなり、上記可動カム外周と上記固定ケース内周に傾斜部を設けると共に、上記可動カムが上記固定カムの平坦部に弾接した後は、上記可動カムと上記固定ケースの傾斜部が弾接する開閉装置。
【発明の詳細な説明】
【技術分野】
【０００１】
本発明は、主にパーソナルコンピュータや電子辞書等の各種電子機器に使用される開閉装置に関するものである。
【背景技術】
【０００２】
近年、パーソナルコンピュータや電子辞書等の電子機器の多様化や高機能化が進むなか、固定筐体に対し可動筐体を開閉させて、様々な操作を行うものが増えており、これらに用いられる開閉装置においても、良好な感触で多様な操作を行えるものが求められている。
【０００３】
このような従来の開閉装置について、図５〜図８を用いて説明する。
【０００４】
図６は従来の開閉装置の断面図、図７は同分解斜視図であり、同図において、１は略円筒状の固定体で、固定体１右端には右方へ突出した突起部２Ａと平坦部２Ｂから形成された、一対の固定カム２が設けられている。
【０００５】
そして、３は略円柱状の固定軸、４は略円筒状の固定ケースで、固定ケース４内に固定体１が収納されると共に、固定軸３の左端に固定体１と固定ケース４が各々固着されている。
【０００６】
また、６は略円筒状の可動体で、固定体１に対し開閉方向へ回転可能に、かつ軸線方向へ移動可能に配置されると共に、左端には左方へ突出する一対の可動カム７が形成されている。
【０００７】
さらに、８は略円筒状の可動ケースで、外周の溝部に可動体６外周の凸部が挿入され、可動体６が可動ケース８に対し軸線方向へは移動可能で、回転方向へは一体となって回転するようにして、可動ケース８内に収納されている。
【０００８】
また、可動ケース８の左端開口部には固定ケース４が回転可能に装着されると共に、固定軸３が可動体６や可動ケース８内を挿通し、右端が止め輪９によって可動ケース８外側面に回転可能に装着されている。
【０００９】
そして、１０はコイル状に巻回されたばねで、可動体６右側面と可動ケース８内側面の間にやや撓んだ状態で装着され、このばね１０によって、可動体６が左方の固定体１の方向へ付勢されている。
【００１０】
さらに、１１は略円筒状の反転体、１２は略リング状の解除体で、反転体１１右端には右方へ突出する一対の反転カム１３が、解除体１２右端には凹凸状の解除カム１４が各々形成されている。
【００１１】
そして、反転体１１が軸線方向へ移動可能なように、解除体１２が回転可能なようにして、反転体１１と解除体１２が固定ケース４に各々装着されている。
【００１２】
また、１５は右端に右方へ突出する押圧カム１６が形成された押圧体、１７は巻ばねで、巻ばね１７がやや捩られた状態で一端が解除体１２に、他端が押圧体１５に係止されている。
【００１３】
さらに、固定ケース４の左端開口部をカバー１８が覆うと共に、固定軸３左端に軸線方向へ移動可能に装着された押圧体１５左端には、固定ケース４から左方へ突出する押釦１９が装着されて、開閉装置２０が構成されている。
【００１４】
そして、このように構成された開閉装置２０が、例えば、図５（ｃ）のパーソナルコンピュータや電子辞書等の電子機器の斜視図に示すように、固定ケース４が、上面に複数のキーを配列した操作部２１Ａが形成された固定筐体２１に、押釦１９を固定筐体２１側面から突出させて固着されると共に、可動ケース８が、前面に液晶表示素子等の表示部２２Ａが形成された可動筐体２２に固着され、開閉装置２０によって、固定筐体２１に対して可動筐体２２が開閉可能に軸支されて電子機器が構成される。
【００１５】
以上の構成において、図５（ａ）に示すように、固定筐体２１に対して可動筐体２２が閉じた状態では、開閉装置２０は、図８（ａ）のカム動作図に示すように、固定カム２から可動カム７の方向へ突出した、反転カム１３の下側の傾斜部に可動カム７が弾接し、可動カム７がばね１０によって下方向の閉方向へ付勢されているため、可動ケース８が装着された可動筐体２２には閉方向への付勢力がはたらき、可動筐体２２が閉じた状態で保持されている。
【００１６】
そして、この閉状態から、指で固定筐体２１側面の押釦１９を押圧操作すると、図８（ｂ）に示すように、押釦１９が装着された押圧体１５の押圧カム１６が解除カム１４を押圧して、解除体１２が巻ばね１７を撓めながら下方向へ回転し、解除カム１４が反転カム１３左端から外れるため、反転カム１３が左方向へ移動する。
【００１７】
このため、図８（ｃ）に示すように、ばね１０に付勢された可動カム７が、固定カム２の突起部２Ａ上側の傾斜部に弾接して上方向へ回転し、可動体６が上方向の開方向へ付勢されるため、この力によって可動ケース８と、これが装着された可動筐体２２には開く方向の力が加わる。
【００１８】
そして、図８（ｄ）に示すように、可動カム７が固定カム２の突起部２Ａ上側の傾斜部上を弾接摺動した後、平坦部２Ｂに弾接した状態では、図５（ｂ）に示すように、可動筐体２２が固定筐体２１に対して、例えば３０度前後開いた状態となり、図８（ｅ）に示すように、可動カム７が固定カム２の平坦部２Ｂを弾接摺動した後には、図５（ｃ）に示すように、可動筐体２２が例えば１３５度前後開いた状態で保持される。
【００１９】
なお、この可動カム７が固定カム２の平坦部２Ｂにほぼ垂直に弾接した状態では、ばね１０に付勢された可動体６には上下方向、すなわち開閉方向の力は加わっていないため、図８（ｄ）に示した、可動カム７が突起部２Ａに弾接するまでの間は、可動筐体２２を手で開いた状態から閉じる方向へ押圧して、前面の液晶表示素子等の表示部２２Ａが見易い角度に設定することができる。
【００２０】
また、この開状態から、可動筐体２２をさらに閉じると、上記とは逆に、可動カム７が固定カム２上を下方向へ弾接摺動して、図８（ａ）や図５（ａ）に示した状態に戻り、可動筐体２２が携帯し易い閉じた状態で保持される。
【００２１】
つまり、手による開閉操作に加え、可動筐体２２を開く際には、押釦１９の押圧操作によって、可動カム７と可動体６を上方向、すなわち開方向に回転させて、可動筐体２２をワンタッチで開く、所謂ワンタッチオープン操作が行えると共に、所定角度の間、例えば３０度前後から１３５度前後の間は、可動筐体２２を手で所望の角度に保持できる、所謂フリーストップ操作が可能なように構成されているものであった。
【００２２】
なお、この出願の発明に関連する先行技術文献情報としては、例えば、特許文献１が知られている。
【先行技術文献】
【特許文献】
【００２３】
【特許文献１】特開２００９−２６４５２７号公報
【発明の概要】
【発明が解決しようとする課題】
【００２４】
しかしながら、上記従来の開閉装置においては、押釦１９を押圧操作してワンタッチオープン操作を行った際、ばね１０に付勢された可動カム７によって、可動筐体２２に開方向の衝撃が加わり、この勢いで機器が倒れてしまう場合があり、また、可動筐体２２を開いた後、手で可動筐体２２を開閉しフリーストップ操作を行う際、所望の角度に保持する力が弱く、不安定な保持になってしまう場合があるという課題があった。
【００２５】
本発明は、このような従来の課題を解決するものであり、良好な感触で多様な操作が可能な開閉装置を提供することを目的とする。
【課題を解決するための手段】
【００２６】
上記目的を達成するために本発明は、可動カム外周と固定ケース内周に傾斜部を設けると共に、可動カムが固定カムの平坦部に弾接した後は、可動カムと固定ケースの傾斜部が弾接するようにして開閉装置を構成したものであり、開操作を行った際、可動カム外周の傾斜部が固定ケース内周の傾斜部に弾接し、この傾斜部の摩擦によって開方向の付勢力が緩和されるため、可動筐体への衝撃を防ぐことができると共に、可動カムが固定カムの平坦部に弾接した所定角度の間で、可動カムを保持する際にも、傾斜部の摩擦によって可動筐体を所望の角度に確実に保持できるため、良好な感触で多様な操作が可能な開閉装置を得ることができるという作用を有するものである。
【発明の効果】
【００２７】
以上のように本発明によれば、良好な感触で多様な操作が可能な開閉装置を実現することができるという有利な効果が得られる。
【図面の簡単な説明】
【００２８】
【図１】本発明の一実施の形態による開閉装置の断面図
【図２】同分解斜視図
【図３】同カム動作図
【図４】同断面図
【図５】電子機器の斜視図
【図６】従来の開閉装置の断面図
【図７】同分解斜視図
【図８】同カム動作図
【発明を実施するための形態】
【００２９】
以下、本発明の実施の形態について、図１〜図５を用いて説明する。
【００３０】
なお、背景技術の項で説明した構成と同一構成の部分には同一符号を付して、詳細な説明を簡略化する。
【００３１】
（実施の形態）
図１は本発明の一実施の形態による開閉装置の断面図、図２は同分解斜視図であり、同図において、１は略円筒状で鋼や銅合金、焼結合金等の金属製の固定体で、固定体１右端には右方へ突出した突起部２Ａと平坦部２Ｂから形成された、一対の固定カム２が設けられている。
【００３２】
そして、３は略円柱状で金属製の固定軸、２４は略円筒状で金属製の固定ケースで、固定ケース２４内に固定体１が収納されると共に、固定軸３の左端に固定体１と固定ケース２４が各々固着され、固定ケース２４右端の内周全周には傾斜部２４Ａが設けられている。
【００３３】
また、２６は略円筒状で金属製の可動体で、固定体１に対し開閉方向へ回転可能に、かつ軸線方向へ移動可能に配置されると共に、左端には左へ突出する一対の可動カム２７が形成され、この可動カム２７の左端外周には傾斜部２７Ａが設けられている。
【００３４】
さらに、８は略円筒状で金属製の可動ケースで、外周の溝部に可動体２６外周の凸部が挿入され、可動体２６が可動ケース８に対し軸線方向へは移動可能で、回転方向へは一体となって回転するようにして、可動ケース８内に収納されている。
【００３５】
また、可動ケース８の左端開口部には固定ケース２４が回転可能に装着されると共に、固定軸３が可動体２６や可動ケース８内を挿通し、右端が止め輪９によって可動ケース８外側面に回転可能に装着されている。
【００３６】
そして、１０はコイル状に巻回された鋼線製のばねで、可動体２６右側面と可動ケース８内側面の間にやや撓んだ状態で装着され、このばね１０によって、可動体２６が左方の固定体１の方向へ付勢されている。
【００３７】
さらに、１１は略円筒状で金属製の反転体、１２は略リング状の解除体で、反転体１１右端には右方へ突出する一対の反転カム１３が、解除体１２右端には凹凸状の解除カム１４が各々形成されている。
【００３８】
そして、反転体１１が軸線方向へ移動可能なように、解除体１２が回転可能なようにして、反転体１１と解除体１２が固定ケース２４に各々装着されている。
【００３９】
また、１５は右端に右方へ突出する押圧カム１６が形成された押圧体、１７は鋼線製の巻ばねで、巻ばね１７がやや捩られた状態で一端が解除体１２に、他端が押圧体１５に係止されている。
【００４０】
さらに、固定ケース２４の左端開口部をカバー１８が覆うと共に、固定軸３左端に軸線方向へ移動可能に装着された押圧体１５左端には、固定ケース２４から左方へ突出する押釦１９が装着されて、開閉装置３０が構成されている。
【００４１】
そして、このように構成された開閉装置３０が、例えば、図５（ｃ）のパーソナルコンピュータや電子辞書等の電子機器の斜視図に示すように、固定ケース２４が、上面に複数のキーを配列した操作部２１Ａが形成された固定筐体２１に、押釦１９を固定筐体２１側面から突出させて固着されると共に、可動ケース８が、前面に液晶表示素子等の表示部２２Ａが形成された可動筐体２２に固着され、開閉装置３０によって、固定筐体２１に対して可動筐体２２が開閉可能に軸支されて電子機器が構成される。
【００４２】
以上の構成において、図５（ａ）に示すように、固定筐体２１に対して可動筐体２２が閉じた状態では、開閉装置３０は、図３（ａ）のカム動作図に示すように、固定カム２から可動カム２７の方向へ突出した、反転カム１３の下側の傾斜部に可動カム２７が弾接し、可動カム２７がばね１０によって下方向の閉方向へ付勢されているため、可動ケース８が装着された可動筐体２２には閉方向への付勢力がはたらき、可動筐体２２が閉じた状態で保持されている。
【００４３】
そして、この閉状態から、指で固定筐体２１側面の押釦１９を押圧操作すると、図３（ｂ）に示すように、押釦１９が装着された押圧体１５の押圧カム１６が解除カム１４を押圧して、解除体１２が巻ばね１７を撓めながら下方向へ回転し、解除カム１４が反転カム１３左端から外れるため、反転カム１３が左方向へ移動する。
【００４４】
このため、図３（ｃ）に示すように、ばね１０に付勢された可動カム２７が、固定カム２の突起部２Ａ上側の傾斜部に弾接して上方向へ回転し、可動体２６が上方向の開方向へ付勢されるため、この力によって可動ケース８と、これが装着された可動筐体２２には開く方向の力が加わる。
【００４５】
そして、固定カム２の突起部２Ａ上側の傾斜部上を、可動カム２７が上方向へ弾接摺動するに伴って可動筐体２２が開いていくが、図３（ｄ）に示すように、可動カム２７が突起部２Ａ上を弾接摺動した後、平坦部２Ｂに弾接した状態では、図４の断面図に示すように、一対の可動カム２７外周の傾斜部２７Ａが、固定ケース２４右端の内周全周に設けられた傾斜部２４Ａに弾接する。
【００４６】
また、この可動カム２７が固定カム２の平坦部２Ｂにほぼ垂直に弾接した状態では、ばね１０に付勢された可動体２６には上下方向、すなわち開閉方向への付勢力は殆んど加わっていないが、これに加え上記のように、傾斜部２７Ａと２４Ａが弾接した摩擦力によって、可動体２６の上方向へ回転する力はさらに緩和され、図５（ｂ）に示すように、可動筐体２２が固定筐体２１に対して、例えば３０度前後開いた状態で停止し保持される。
【００４７】
さらに、この可動カム２７が平坦部２Ｂに所定の力で弾接すると共に、傾斜部２７Ａと２４Ａの間に所定の摩擦力が生じた状態から、可動筐体２２を手で開くと、図３（ｅ）に示すように、可動カム２７が固定カム２の平坦部２Ｂを弾接摺動すると共に、傾斜部２７Ａと２４Ａ間の摩擦によって、図５（ｃ）に示すような、可動筐体２２が例えば１３５度前後に開くまでの間は、前面の液晶表示素子等の表示部２２Ａが見易い、所望の角度に可動筐体２２を停止し保持することができる。
【００４８】
なお、押圧操作した後、押釦１９から指を離すと、押圧カム１６への押圧力がなくなるため、可動カム２７が所定角度、例えば５０度前後まで固定カム２上を弾接摺動した後は、巻ばね１７に付勢された解除カム１４が上方向へ戻り、左端を押圧された反転カム１３が右方向へ移動して、各々のカムが元の位置に復帰する。
【００４９】
また、この開状態から、可動筐体２２を手で開いた状態から閉じる方向へ押圧し、所定角度まで閉じると、上記とは逆に、可動カム２７が固定カム２上を下方向へ弾接摺動すると共に、傾斜部２７Ａと２４Ａも離れ、図３（ａ）や図５（ａ）に示した状態に戻り、可動筐体２２が携帯し易い閉じた状態で保持される。
【００５０】
つまり、手による開閉操作に加え、可動筐体２２を開く際には、押釦１９の押圧操作によって、可動カム２７と可動体２６を上方向、すなわち開方向に回転させて、可動筐体２２をワンタッチで例えば３０度前後まで開く、所謂ワンタッチオープン操作が行えると共に、所定角度の間、例えば３０度前後から１３５度前後の角度の間は、可動筐体２２を手で所望の角度に保持できる、所謂フリーストップ操作が可能なように構成されている。
【００５１】
そして、このように押釦１９を押圧操作して開操作を行った際、可動カム２７が固定カム２の突起部２Ａから平坦部２Ｂに弾接した後は、可動カム２７の傾斜部２７Ａが固定ケース２４の傾斜部２４Ａに弾接し、この傾斜部２７Ａと２４Ａの摩擦によって可動体２６の開方向の付勢力が緩和され、可動筐体２２が固定筐体２１に対して、例えば３０度前後開いた状態で停止し保持されるため、可動筐体２２への衝撃を防ぎ、機器が倒れてしまうこと等のないようになっている。
【００５２】
また、この後、手で可動筐体２２を例えば１３５度前後の角度まで開く場合にも、固定ケース２４右端の内周全周の、開閉装置３０の最も外周に形成された傾斜部２４Ａに、可動カム２７外周に設けられた傾斜部２７Ａが弾接し、この傾斜部２７Ａと２４Ａ間の摩擦によって生じる、大きな回転トルクによって可動筐体２２を所望の角度に保持できるため、がたつき等がなく安定した角度で、確実に可動筐体２２を保持できるように構成されている。
【００５３】
すなわち、可動カム２７外周と固定ケース２４内周に傾斜部２７Ａと２４Ａを設け、可動筐体２２が例えば３０度前後まで開き、可動カム２７が固定カム２の平坦部２Ｂに弾接した後は、可動カム２７と固定ケース２４の傾斜部２７Ａと２４Ａを弾接させることで、可動筐体２２のワンタッチオープン操作を行う際には、傾斜部２７Ａと２４Ａの摩擦によって可動体２６の開方向の付勢力を緩和し、可動筐体２２への衝撃を防ぐと共に、フリーストップ操作を行う際にも、可動カム２７の平坦部２Ｂへの弾接力に加え、傾斜部２７Ａと２４Ａの摩擦によって、可動筐体２２を所望の角度に確実に保持することができるため、多少重さのある可動筐体２２の開閉操作を行う場合にも、良好な感触で多様な操作が可能なようになっている。
【００５４】
なお、以上の説明では、固定体１や可動体２６に加え、これらに反転体１１や解除体１２、押圧体１５等の様々なカムを組み合せ、押釦１９の押圧操作によって可動筐体２２をワンタッチで開く、所謂ワンタッチオープン操作が可能な構成について説明したが、固定体１の固定カム２と可動体２６の可動カム２７のみを組み合せ、可動筐体２２の開操作も閉操作も手で行う構成としても、本発明の実施は可能である。
【００５５】
このように本実施の形態によれば、可動カム２７外周と固定ケース２４内周に傾斜部２７Ａと２４Ａを設けると共に、可動カム２７が固定カム２の平坦部２Ｂに弾接した後は、可動カム２７と固定ケース２４の傾斜部２７Ａと２４Ａを弾接させることによって、開操作を行った際、傾斜部２７Ａと２４Ａの摩擦によって開方向の付勢力が緩和されるため、可動筐体２２への衝撃を防ぐことができると共に、可動カム２７が固定カム２の平坦部２Ｂに弾接した所定角度の間で、可動カム２７を保持する際にも、傾斜部２７Ａと２４Ａの摩擦によって可動筐体２２を所望の角度に確実に保持できるため、良好な感触で多様な操作が可能な開閉装置を得ることができるものである。
【産業上の利用可能性】
【００５６】
本発明による開閉装置は、良好な感触で多様な操作が可能なものを得ることができるという有利な効果を有し、主に各種電子機器に使用される開閉装置として有用である。
【符号の説明】
【００５７】
１  固定体
２  固定カム
２Ａ  突起部
２Ｂ  平坦部
３  固定軸
８  可動ケース
９  止め輪
１０  ばね
１１  反転体
１２  解除体
１３  反転カム
１４  解除カム
１５  押圧体
１６  押圧カム
１７  巻ばね
１８  カバー
１９  押釦
２１  固定筐体
２１Ａ  操作部
２２  可動筐体
２２Ａ  表示部
２４  固定ケース
２４Ａ  傾斜部
２６  可動体
２７  可動カム
２７Ａ  傾斜部
３０  開閉装置
【図１】
2012189094.tif 000003
【図２】
2012189094.tif 000004
【図３】
2012189094.tif 000005
【図４】
2012189094.tif 000006
【図５】
2012189094.tif 000007
【図６】
2012189094.tif 000008
【図７】
2012189094.tif 000009
【図８】
2012189094.tif 000010